(57)【要約】【課題】電源の状態が待機状態から復帰する際に、起動時間を短縮することが可能な画像表示装置及び画像表示方法を提供すること。【解決手段】電源の状態が待機状態に移行する前に、ＣＰＵ１１は、起動画像の画像データをＮＶＲＡＭ２４から読み出し、ＤＲＡＭ２６に記憶させる。ＣＰＵ１１は、待機状態から復帰する際に、ＤＲＡＭ２６に記憶された起動画像の画像データを読み出して、映像出力部１４に出力する。映像出力部１４は、ＣＰＵ１１の制御の下、起動画像の画像データを再生して、ディスプレイ２０に出力する。映像出力部１４は、ＣＰＵ１１の制御の下、ＡＶデコーダー１３からデジタルテレビジョン放送信号に基づいた映像データが出力されると、該映像データに基づく映像を起動画像に代えて表示するように、ディスプレイ２０に映像データを出力する。【選択図】図１
2008129351.tif 000002
【特許請求の範囲】
【請求項１】
データを記憶する記憶手段と、
電源の状態が待機状態に移行する前に、起動時に表示する画像の画像データを前記記憶手段に記憶させる記憶制御手段と、
電源の状態が待機状態から復帰する際に、前記記憶手段に記憶された前記画像データを読み出して、前記起動時に表示する画像を表示させる表示制御手段と、を備えることを特徴とする画像表示装置。
【請求項２】
前記記憶制御手段は、電源が投入された際に、前記画像データを前記記憶手段に記憶させることを特徴とする請求項１に記載の画像表示装置。
【請求項３】
前記記憶制御手段は、電源がオフされた際に、前記画像データを前記記憶手段に記憶させることを特徴とする請求項１に記載の画像表示装置。
【請求項４】
前記記憶制御手段は、前記画像データを不揮発性メモリから読み込み、前記記憶手段に記憶させることを特徴とする請求項１に記載の画像表示装置。
【請求項５】
前記表示制御手段は、電源がオンされた際に、前記画像データを前記記憶手段から読み出して、前記起動時に表示する画像を表示することを特徴とする請求項１に記載の画像表示装置。
【請求項６】
前記記憶手段は、待機状態において電源が供給されることにより、その記憶状態が維持されることを特徴とする請求項１に記載の画像表示装置。
【請求項７】
前記記憶手段は、ＤＲＡＭであることを特徴とする請求項６に記載の画像表示装置。
【請求項８】
前記表示制御手段により画像が表示される表示手段を更に備えることを特徴とする請求項１に記載の画像表示装置。
【請求項９】
電源の状態が待機状態に移行する前に、起動時に表示する画像の画像データを記憶し、
電源の状態が待機状態から復帰する際に、前記記憶した前記画像データを読み出して、前記起動時に表示する画像を表示させることを特徴とする画像表示方法。
【発明の詳細な説明】
【技術分野】
【０００１】
本発明は、デジタルテレビジョン放送受信装置に好適な画像表示装置及び画像表示方法に関する。
【背景技術】
【０００２】
周知のように、デジタルテレビジョン放送受信装置では、電源が投入された状態で電源スイッチがオンされると、ＭＰＵ（micro processor unit）が受信機能を司るアプリケーションを起動して番組情報を取得し、この取得した番組情報にデコード処理を施して表示パネルに表示する。このため、アプリケーションが起動されてから出画が行なわれるまでに長い時間を要している。
【０００３】
上記アプリケーションがＯＳ（operating system）を使用している場合には、ＯＳの起動時間も必要となる。アプリケーションがＲＡＭ（random access memory）で動作する場合には、アプリケーションプログラムのＲＯＭ（read only memory）からＲＡＭへの展開時間も追加されることになる。
【０００４】
特許文献１には、本体制御部のＣＰＵとは別に、表示制御部にＣＰＵを設け、本体制御部のＣＰＵの起動準備中に表示制御部の起動を完了させて、表示制御部が起動画面を表示する電子装置が開示されている。
【特許文献１】特開２００５−２０２１０５号公報
【発明の開示】
【発明が解決しようとする課題】
【０００５】
そこで、本発明は、電源の状態が待機状態から復帰する際に、起動時間を短縮することが可能な画像表示装置及び画像表示方法を提供することを目的とする。
【課題を解決するための手段】
【０００６】
本発明に係る画像表示装置は、データを記憶する記憶手段と、電源の状態が待機状態に移行する前に、起動時に表示する画像の画像データを記憶手段に記憶させる記憶制御手段と、電源の状態が待機状態から復帰する際に、記憶手段に記憶された画像データを読み出して、起動時に表示する画像を表示する表示制御手段と、を備える。
【０００７】
また、本発明に係る画像表示方法は、電源の状態が待機状態に移行する前に、起動時に表示する画像の画像データを記憶し、電源の状態が待機状態から復帰する際に、記憶した画像データを読み出して、起動時に表示する画像を表示する。
【発明の効果】
【０００８】
本発明によれば、電源の状態が待機状態から復帰する際に、起動時間を短縮することが可能となる。
【発明を実施するための最良の形態】
【０００９】
以下、添付図面を参照しながら本発明の好適な実施の形態について説明する。説明の理解を容易にするため、各図面において同一の構成要素に対しては可能な限り同一の符号を付して、重複する説明は省略する。
【００１０】
まず、図１を参照して、本実施形態に係るデジタルテレビジョン放送受信装置ＴＳの構成を説明する。
【００１１】
デジタルテレビジョン放送受信装置ＴＳは、図１に示されるように、チューナ部１、システムＬＳＩ（Large Scale Integration）１０、ディスプレイ２０、スピーカー２２、ＮＶＲＡＭ（不揮発性メモリ：Non Volatile Random Access Memory）２４、ＤＲＡＭ（Dynamic Random Access Memory）２６、マイクロコントローラ２８、リモコン受光部３０、及び電源スイッチ３２を備えている。
【００１２】
アンテナ３６で受信されたデジタルテレビジョン放送信号は、チューナ部１に出力される。チューナ部１は、所望のチャンネルのデジタルテレビジョン放送信号を選局する。チューナ部１で選局されたデジタルテレビジョン放送信号は、システムＬＳＩ１０に出力される。
【００１３】
システムＬＳＩ１０は、ＣＰＵ（Central Processing Unit）１１、ＴＳＤｅｍｕｘ（Transport Stream De-multiplex）１２、ＡＶデコーダー（Decoder）１３、映像出力部１４、音声出力部１５、Ｉ／Ｏ１６、ＮＶＲＡＭコントローラ１７、及びＤＲＡＭコントローラ１８を有している。ＣＰＵ１１、ＴＳＤｅｍｕｘ１２、ＡＶデコーダー１３、映像出力部１４、音声出力部１５、Ｉ／Ｏ１６、ＮＶＲＡＭコントローラ１７、及びＤＲＡＭコントローラ１８は、バス１９を介して接続されている。
【００１４】
ＣＰＵ１１は、ＴＳＤｅｍｕｘ１２、ＡＶデコーダー１３、映像出力部１４、音声出力部１５、ＮＶＲＡＭコントローラ１７、及びＤＲＡＭコントローラ１８に制御信号を送って、それらを制御する。
【００１５】
ＴＳＤｅｍｕｘ１２は、チューナ部１から出力されたデジタルテレビジョン放送信号に対して、エラー訂正処理、スクランブル解除処理及びＴＳパケット変換処理を施す。ＴＳＤｅｍｕｘ１２は、変換されたパケットの中から映像信号のパケット（映像データ）と音声信号のパケット（音声データ）とを分離して、ＡＶデコーダー１３に供給する。
【００１６】
ＡＶデコーダー１３は、パケット化されＴＳＤｅｍｕｘ１２から入力された映像データを、例えばＭＰＥＧ（Moving Picture Experts Group）圧縮符号化処理等の圧縮符号化処理に対応したデコード処理を施す。ＡＶデコーダー１３は、デコードされた映像データを映像出力部１４に出力する。
【００１７】
ＡＶデコーダー１３は、パケット化されＴＳＤｅｍｕｘ１２から入力された音声データを、例えばＭＰＥＧ（Moving Picture Experts Group）圧縮符号化処理等の圧縮符号化処理に対応したデコード処理を施す。ＡＶデコーダー１３は、デコードされた音声データを音声出力部１５に出力する。
【００１８】
映像出力部１４は、ＡＶデコーダー１３から出力された映像データを再生して、ディスプレイ２０に出力する。ディスプレイ２０は、例えば液晶ディスプレイやプラズマディスプレイ等のフラットパネルディスプレイからなる表示装置であり、ＡＶデコーダー１３から入力された映像信号を表示する。
【００１９】
音声出力部１５は、ＡＶデコーダー１３から出力された音声データをアナログ信号に変換して、スピーカー２２に出力する。スピーカー２２は、音声出力部１５から出力されたアナログ信号を音声として再生する。
【００２０】
ＮＶＲＡＭ２４は、ＮＶＲＡＭコントローラ１７を介してバス１９に接続されている。ＮＶＲＡＭ２４には、ブートプログラム、ＯＳ（operating system）、アプリケーションプログラム、及び起動時に表示する画像（以下、「起動画像」と称する）の画像データが記憶されている。
【００２１】
ＤＲＡＭ２６は、ＤＲＡＭコントローラ１８を介してバス１９に接続されている。ＤＲＡＭ２６には、後述するように、電源の状態が待機状態に移行する前に、起動画像の画像データが記憶される。
【００２２】
マイクロコントローラ２８は、Ｉ／Ｏ１６を介してバス１９に接続されている。マイクロコントローラ２８には、リモコン受光部３０、電源スイッチ３２、及び電源回路３８が接続されている。
【００２３】
リモコン受光部３０は、ユーザが操作するリモートコントローラ（不図示）から送られるリモートコントロール信号を受けて、それを電気信号に変換してマイクロコントローラ２８に送る。電源スイッチ３２は、ユーザにより操作され、ユーザの操作に応じた信号をマイクロコントローラ２８に出力する。
【００２４】
デジタルテレビジョン放送受信装置ＴＳは、電源回路３８を備えている。電源回路３８は、主電源と、マイクロコントローラ用電源と、ＤＲＡＭ用電源との３系統の電源を出力するように構成されている。主電源は、システムＬＳＩ１０及びディスプレイ２０に供給される。マイクロコントローラ用電源は、マイクロコントローラ２８に供給される。マイクロコントローラ用電源とＤＲＡＭ用電源とは、デジタルテレビジョン放送受信装置ＴＳが電源オン状態であるか電源オフ状態であるかに係わらず常時出力される。主電源は、デジタルテレビジョン放送受信装置ＴＳが電源オン状態で出力される電源である。
【００２５】
電源回路３８は、マイクロコントローラ２８に接続されており、ユーザがリモートコントローラあるいは電源スイッチ３２によってデジタルテレビジョン放送受信装置ＴＳの電源をオンにする操作を実行した際に、マイクロコントローラ２８によって主電源を出力するように切換えられる。ＤＲＡＭ用電源は、常時出力されており、ＤＲＡＭ２６は、待機状態においても電源が供給され、ＤＲＡＭのセルフリフレッシュ機能により、その記憶状態が維持される。
【００２６】
次に、図２を参照して、電源プラグがコンセントに差し込まれることによりデジタルテレビジョン放送受信装置ＴＳに電源が投入された際に、起動画像の画像データをＤＲＡＭ２６に記憶させる処理動作を説明する。
【００２７】
処理動作が開始され、電源が投入されると（ステップＳ１０１）、マイクロコントローラ２８は、主電源をシステムＬＳＩ１０に供給するように電源回路３８を切り換える。マイクロコントローラ２８は、システムＬＳＩ１０のリセットを解除し、システムＬＳＩ１０は起動シーケンスに移行する。ＣＰＵ１１は、ＮＶＲＡＭ２４からブートプログラムを読み出し、起動する（ステップＳ１０２）。ブートプログラムが起動すると、ＣＰＵ１１は、システムＬＳＩ１０の初期化を行う。
【００２８】
次に、ＣＰＵ１１は、ＮＶＲＡＭ２４からＯＳ及びアプリケーションプログラムを読み出し、ＤＲＡＭ２６に転送する。そして、ＣＰＵ１１は、ＤＲＡＭ２６に転送されたＯＳ及びアプリケーションプログラムを起動する（ステップＳ１０３）。
【００２９】
次に、ＣＰＵ１１は、ＮＶＲＡＭ２４から起動画像の画像データを読み出し、ＤＲＡＭ２６に転送する。これにより、起動画像の画像データがＤＲＡＭ２６に記憶されることとなる（ステップＳ１０４）。
【００３０】
その後、ＣＰＵ１１は、ＤＲＡＭ２６をセルフリフレッシュモードへ移行させ、マイクロコントローラ２８は、システムＬＳＩ１０への主電源の供給を停止するように電源回路３８を切り換え、処理を終了する（ステップＳ１０５）。これにより、デジタルテレビジョン放送受信装置ＴＳにおける電源の状態は、待機状態に移行する（ステップＳ１０６）。待機状態では、ＤＲＡＭ２６には、電源回路３８から電源が供給されるので、ＤＲＡＭ２６の全ての内容が維持され、すなわち、ＯＳ及びアプリケーションプログラム等のデータだけでなく、その動作状態まで維持される。したがって、起動画像の画像データが消失することはなく、該画像データの記憶状態も維持される。
【００３１】
続いて、図３を参照して、デジタルテレビジョン放送受信装置ＴＳが待機状態から通常動作状態へ移行する際、及び、通常動作状態から待機状態へ移行する際の処理動作を説明する。
【００３２】
デジタルテレビジョン放送受信装置ＴＳが待機状態にあり（ステップＳ２０１）、ユーザがリモートコントローラあるいは電源スイッチ３２を操作することによりデジタルテレビジョン放送受信装置ＴＳの電源がオンされると（ステップＳ２０２）、デジタルテレビジョン放送受信装置ＴＳは待機状態から復帰する。デジタルテレビジョン放送受信装置ＴＳの電源がオンされると、マイクロコントローラ２８は、待機状態からの移行処理を実行する（ステップＳ２０３）。ここでは、マイクロコントローラ２８は、主電源をシステムＬＳＩ１０に供給するように電源回路３８を切り換え、システムＬＳＩ１０のリセットを解除する。これにより、システムＬＳＩ１０は起動シーケンスに移行する。
【００３３】
ＣＰＵ１１は、ＮＶＲＡＭ２４からブートプログラムを読み出し、起動する（ステップＳ２０４）。ブートプログラムが起動すると、ＣＰＵ１１は、システムＬＳＩ１０の初期化を行い、ＤＲＡＭ２６を通常動作モードに復帰させる。
【００３４】
ＣＰＵ１１は、起動画像をディスプレイ２０に表示させるための設定を実行する（ステップＳ２０５）。ここでは、ＣＰＵ１１は、映像出力部１４の初期設定を行うと共に、起動画像の画像データをＤＲＡＭ２６から読み出し、映像出力部１４に出力する。映像出力部１４は、起動画像の画像データを再生して、ディスプレイ２０に出力する。これにより、ディスプレイ２０には、起動画像が表示されることとなる。起動画像は、静止画でもよく、また動画でもよい。
【００３５】
また、ＣＰＵ１１は、ＯＳ及びアプリケーションプログラムを起動する（ステップＳ２０６）。すなわち、ディスプレイ２０に起動画像が表示された状態で、アプリケーションプログラムが起動することとなる。
【００３６】
アプリケーションプログラムが起動すると、ＣＰＵ１１の制御の下、チューナ部１で選局したデジタルテレビジョン放送信号がＴＳＤｅｍｕｘ１２及びＡＶデコーダー１３にて処理され、映像出力部１４に映像データが出力される（ステップＳ２０７）。すなわち、チューナ部１で受信されたデジタルテレビジョン放送信号に対して、受信機能に対応するアプリケーションプログラムに基づいて映像データを生成される。
【００３７】
映像出力部１４は、ＣＰＵ１１の制御の下、ＡＶデコーダー１３からデジタルテレビジョン放送信号に基づいた映像データが出力されると、該映像データに基づく映像を起動画像に代えて表示するように、ディスプレイ２０に映像データを出力する。これにより、ディスプレイ２０には、デジタルテレビジョン放送信号に基づいた映像が表示されることとなり、デジタルテレビジョン放送受信装置ＴＳは通常動作状態に移行する（ステップＳ２０８）。
【００３８】
デジタルテレビジョン放送受信装置ＴＳが通常動作状態にあり、ユーザがリモートコントローラあるいは電源スイッチ３２を操作することによりデジタルテレビジョン放送受信装置ＴＳの電源がオフされると（ステップＳ２０９）、ＣＰＵ１１は、ＮＶＲＡＭ２４から起動画像の画像データを読み出し、ＤＲＡＭ２６に転送する。これにより、起動画像の画像データがＤＲＡＭ２６に記憶されることとなる（ステップＳ２１０）。
【００３９】
そして、ＣＰＵ１１は、ＤＲＡＭ２６をセルフリフレッシュモードへ移行させ、マイクロコントローラ２８は、システムＬＳＩ１０への主電源への供給を停止するように電源回路３８を切り換える等の待機状態への移行処理を実行し（ステップＳ２１１）、デジタルテレビジョン放送受信装置ＴＳはステップＳ２０１に戻り、待機状態に移行する。待機状態では、ＤＲＡＭ２６には、上述したように、電源回路３８から電源が供給されるので、記憶した起動画像の画像データが消失することはない。
【００４０】
デジタルテレビジョン放送受信装置ＴＳが待機状態にあり（ステップＳ２０１）、再びデジタルテレビジョン放送受信装置ＴＳの電源がオンされると（ステップＳ２０２）、デジタルテレビジョン放送受信装置ＴＳは待機状態から復帰する。デジタルテレビジョン放送受信装置ＴＳの電源がオンされると、待機状態からの移行処理を実行する（ステップＳ２０３）。
【００４１】
ＣＰＵ１１は、ＮＶＲＡＭ２４からブートプログラムを読み出し、起動する（ステップＳ２０４）。ブートプログラムが起動すると、ＣＰＵ１１は、システムＬＳＩ１０の初期化を行う。
【００４２】
ＣＰＵ１１は、起動画像をディスプレイ２０に表示させるための設定を実行する（ステップＳ２０５）。このとき、ＤＲＡＭ２６には、起動画像の画像データが記憶されている。そこで、ＣＰＵ１１は、映像出力部１４の初期設定を行うと共に、起動画像の画像データをＤＲＡＭ２６から読み出し、映像出力部１４に出力する。映像出力部１４は、起動画像の画像データを再生して、ディスプレイ２０に出力する。これにより、ディスプレイ２０には、起動画像が表示されることとなる。
【００４３】
一方、ＣＰＵ１１は、ＤＲＡＭ２６に保持されたＯＳ及びアプリケーションプログラムを起動する（ステップＳ２０６）。
【００４４】
アプリケーションプログラムが起動すると、ＣＰＵ１１の制御の下、上述したように映像出力部１４に映像データが出力される（ステップＳ２０７）。
【００４５】
映像出力部１４は、ＣＰＵ１１の制御の下、ＡＶデコーダー１３からデジタルテレビジョン放送信号に基づいた映像データが出力されると、該映像データに基づく映像を起動画像に代えて表示するように、ディスプレイ２０に映像データを出力する。これにより、ディスプレイ２０には、デジタルテレビジョン放送信号に基づいた映像が表示されることとなり、デジタルテレビジョン放送受信装置ＴＳは通常動作状態に移行し（ステップＳ２０８）、処理が継続される。
【００４６】
以上のように、本実施形態においては、電源が投入されて、デジタルテレビジョン放送受信装置ＴＳの電源の状態が待機状態に移行する前に、ＣＰＵ１１は起動画像の画像データをＤＲＡＭ２６に記憶させている。また、電源がオフされて、デジタルテレビジョン放送受信装置ＴＳの電源の状態が待機状態に移行する前にも、ＣＰＵ１１は起動画像の画像データをＤＲＡＭ２６に記憶させている。そして、ＣＰＵ１１は、電源の状態が待機状態から復帰する際に、ＤＲＡＭ２６に予め記憶された上記画像データを読み出して、起動画像をディスプレイ２０に表示するように制御を行う。このため、デジタルテレビジョン放送受信装置ＴＳの電源の状態が待機状態から復帰する際に、起動画像が表示されるまでの時間を短縮することができる。もちろん、起動操作がデジタル放送受信機に伝達されていることを、ユーザに容易に認識させることができるようになる。
【００４７】
本実施形態において、ＣＰＵ１１は、電源がオフされて、デジタルテレビジョン放送受信装置ＴＳの電源の状態が待機状態に移行する前にも、起動画像の画像データをＤＲＡＭ２６に記憶させている。このため、起動画像の画像データを保持しておく専用の領域をＤＲＡＭ２６に予め設定しておく必要はない。
【００４８】
次に、本実施形態の変形例として、図４を参照して、デジタルテレビジョン放送受信装置ＴＳが待機状態から通常動作状態へ移行する際、及び、通常動作状態から待機状態へ移行する際の処理動作を説明する。ここでは、デジタルテレビジョン放送受信装置ＴＳに電源が投入され、図２に示されたステップＳ１０２〜Ｓ１０５の処理が行われ、デジタルテレビジョン放送受信装置ＴＳが待機状態（図２に示されたステップＳ１０６の状態）にあるとする。
【００４９】
デジタルテレビジョン放送受信装置ＴＳが待機状態にあり（ステップＳ３０１）、ユーザがリモートコントローラあるいは電源スイッチ３２を操作することによりデジタルテレビジョン放送受信装置ＴＳの電源がオンされると（ステップＳ３０２）、デジタルテレビジョン放送受信装置ＴＳは待機状態から復帰する。デジタルテレビジョン放送受信装置ＴＳの電源がオンされると、マイクロコントローラ２８は、ステップＳ２０３と同様に、待機状態からの移行処理を実行する（ステップＳ３０３）。
【００５０】
ＣＰＵ１１は、ステップＳ２０４と同様に、ＮＶＲＡＭ２４からブートプログラムを読み出し、起動する（ステップＳ３０４）。
【００５１】
次に、ＣＰＵ１１は、ステップＳ２０５と同様に、起動画像をディスプレイ２０に表示させるための設定を実行する（ステップＳ３０５）。
【００５２】
また、ＣＰＵ１１は、ステップＳ２０６と同様に、ＤＲＡＭ２６に保持されたＯＳ及びアプリケーションプログラムを起動する（ステップＳ３０６）。このとき、ディスプレイ２０に起動画像が表示された状態で、アプリケーションプログラムが起動することとなる。
【００５３】
アプリケーションプログラムが起動すると、ＣＰＵ１１の制御の下、チューナ部１で選局したデジタルテレビジョン放送信号がＴＳＤｅｍｕｘ１２及びＡＶデコーダー１３にて処理され、映像出力部１４に映像データが出力される（ステップＳ３０７）。
【００５４】
映像出力部１４は、ＣＰＵ１１の制御の下、ＡＶデコーダー１３からデジタルテレビジョン放送信号に基づいた映像データが出力されると、該映像データに基づく映像を表示するように、ディスプレイ２０に映像データを出力する。これにより、ディスプレイ２０には、デジタルテレビジョン放送信号に基づいた映像が表示されることとなり、デジタルテレビジョン放送受信装置ＴＳは通常動作状態に移行する（ステップＳ３０８）。
【００５５】
デジタルテレビジョン放送受信装置ＴＳが通常動作状態にあり、ユーザがリモートコントローラあるいは電源スイッチ３２を操作することによりデジタルテレビジョン放送受信装置ＴＳの電源がオフされると（ステップＳ３０９）、マイクロコントローラ２８は、ステップＳ２１０と同様に、待機状態への移行処理を実行し（ステップＳ３１０）、デジタルテレビジョン放送受信装置ＴＳはステップＳ３０１に戻り、待機状態に移行する。
【００５６】
上述した変形例においても、電源が投入され、デジタルテレビジョン放送受信装置ＴＳの電源の状態が待機状態に移行する前に、ＣＰＵ１１は起動画像の画像データをＤＲＡＭ２６に記憶させている。そして、ＣＰＵ１１は、電源の状態が待機状態から復帰する際に、ＤＲＡＭ２６に予め記憶された上記画像データを読み出して、起動画像をディスプレイ２０に表示するように制御を行う。このため、デジタルテレビジョン放送受信装置ＴＳの電源の状態が待機状態から復帰する際に、起動画像が表示されるまでの時間を短縮することができる。もちろん、起動操作がデジタル放送受信機に伝達されていることを、ユーザに容易に認識させることができるようになる。
【００５７】
なお、上述した変形例においては、ＤＲＡＭ２６の起動画像の画像データを保持する専用の領域を設定しておき、当該画像データが書き換えられないようにする必要がある。
【００５８】
以上、本発明の好適な実施形態について説明してきたが、本発明は必ずしも上述した実施形態に限定されるものではなく、その要旨を逸脱しない範囲で様々な変更が可能である。
【００５９】
本実施形態及びその変形例においては、ＤＲＡＭ２６に起動画像のデータを記憶させているが、これに限られない。電源の状態が待機状態であっても、その記憶状態が維持される記憶手段であればよく、例えば、ＳＲＡＭ（Static Random Access Memory）、ＭＲＡＭ（Magnetoresistive Random Access Memory）を用いてもよい。ＳＲＡＭは、リフレッシュの必要がないため、電源を供給するだけでデータを保持できる。ＭＲＡＭは、不揮発性メモリのため、電源を供給する必要はない。
【００６０】
本発明は、実施形態として示したデジタルテレビジョン放送受信装置のみならず、起動時に画像を表示する各種電子装置に適用することができる。
【図面の簡単な説明】
【００６１】
【図１】デジタルテレビジョン放送受信装置の構成を示す概略ブロック図である。
【図２】デジタルテレビジョン放送受信装置に電源が投入された際の処理動作を説明するためのフローチャートである。
【図３】デジタルテレビジョン放送受信装置が待機状態から通常動作状態へ移行する際、及び、通常動作状態から待機状態へ移行する際の処理動作を説明するためのフローチャートである。
【図４】デジタルテレビジョン放送受信装置が待機状態から通常動作状態へ移行する際、及び、通常動作状態から待機状態へ移行する際の処理動作を説明するためのフローチャートである。
【符号の説明】
【００６２】
１…チューナ部、１０…システムＬＳＩ、１１…ＣＰＵ、１２…ＴＳＤｅｍｕｘ、１３…ＡＶデコーダー、１４…映像出力部、２０…ディスプレイ、２４…ＮＶＲＡＭ、２６…ＤＲＡＭ、２８…マイクロコントローラ、３０…リモコン受光部、３２…電源スイッチ、３６…アンテナ、３８…電源回路、ＴＳ…デジタルテレビジョン放送受信装置。
【図１】
2008129351.tif 000003
【図２】
2008129351.tif 000004
【図３】
2008129351.tif 000005
【図４】
2008129351.tif 000006